(57)【特許請求の範囲】
【請求項１】
少なくとも１つの水質センサーを備えるセンサーホルダーと、
前記センサーホルダーをリアルタイムに撮影するカメラと、
前記センサーホルダーが一側端部に備えられて前記センサーホルダーを上昇または下降させる第１垂直長さ可変棒と、
一側端部が前記第１垂直長さ可変棒の他側端部に備えられて前記センサーホルダーを水平方向に前進または後進させる水平長さ可変棒と、
前記水平長さ可変棒の他側端部に備えられて前記センサーホルダーを垂直方向に上昇または下降させる第２垂直長さ可変棒と、
前記センサーホルダーを水中に挿入するために前記カメラにより撮影される動映像によって前記第１垂直長さ可変棒と前記水平長さ可変棒及び前記第２垂直長さ可変棒の長さを  制御する命令を遠隔地から受信を受けて前記命令を遂行するコントロールボックスと、
電源を供給するバッテリーとを含み、
前記遠隔地には前記命令を前記コントロールボックスに送信し、前記水質センサーから測定された測定値と前記カメラからリアルタイム撮影される動映像の受信を受ける第２通信部を内蔵する端末が備えられ、
前記コントロールボックスは、定まった時間に前記の動作を遂行するように前記命令が予め入力される設定部をさらに含み、
屋外遠隔水質測定装置がリセットされると前記センサーホルダーがデフォルト領域に位置し、
前記端末に前記デフォルト領域に位置した前記水質センサーの感知領域が移動しなければならない距離と水中に挿入されなければならない所定の時間に対する制御信号が入力されて、前記端末が前記制御信号を送信すると、
前記コントロールボックスが前記制御信号に応答して前記第１及び第２垂直長さ可変棒と前記水平長さ可変棒を起動させて前記感知領域を前記所定の時間だけ水中に挿入して前記測定値が測定され、
前記所定の時間が経れば前記屋外遠隔水質測定装置がリセットされ前記センサーホルダーの位置が前記デフォルト領域へ移動される屋外遠隔水質測定装置。
【請求項２】
前記バッテリーを充電するために太陽熱で電気を生産する太陽熱発電部をさらに含み、
前記太陽熱発電部は、
光センサーを備えて受光される光の強さが予め設定されたしきい値以下の場合、受光領域を畳むことを特徴とする、請求項１に記載の屋外遠隔水質測定装置。
【請求項３】
前記水平長さ可変棒を水平移動させ、前記第１垂直長さ可変棒を垂直移動させる第１モータと、
前記第２垂直長さ可変棒を垂直移動させる第２モータをさらに含むことを特徴とする、請求項１に記載の屋外遠隔水質測定装置。
【請求項４】
前記コントロールボックスは、
前記第２通信部から前記命令を無線で受信を受けて、前記水質センサーから測定された結果値と前記カメラから撮影される動映像を前記第２通信部に無線送信する第１通信部と、
前記水平長さ可変棒の水平長さを制御する水平長さ制御部と、
前記第１垂直長さ可変棒の垂直長さを制御する第１垂直長さ制御部と、
前記第２垂直長さ可変棒の垂直長さを制御する第２垂直長さ制御部と、
前記水質センサーから感知された情報を格納する格納部と、
前記命令によって前記水平長さ制御部、前記第１垂直長さ制御部、前記第２垂直長さ制御部を制御する中央制御部と、を含み、
前記第１垂直長さ制御部は、前記第２垂直長さ制御部より微細に長さを制御することを特徴とする、請求項１に記載の屋外遠隔水質測定装置。
【請求項５】
前記屋外遠隔水質測定装置の異常有無を感知して前記遠隔地の端末に送信するアラームを生成する自己診断部をさらに含むことを特徴とする、請求項１に記載の屋外遠隔水質測定装置。
【請求項６】
前記端末は、
固定端末と移動端末を含み、
前記第２通信部は無線で情報を送受信することを特徴とする、請求項１に記載の屋外遠隔水質測定装置。
【請求項７】
前記水質センサーを雨や雪または外部の環境から保護する水質センサーカバーをさらに含むことを特徴とする、請求項１に記載の屋外遠隔水質測定装置。
【請求項８】
前記端末は、
前記命令を入力するための入力部と、
前記命令と前記測定値をディスプレイするディスプレイ部とをさらに含むことを特徴とする、請求項１に記載の屋外遠隔水質測定装置。
【請求項９】
（Ａ）水平長さ可変棒を遠隔で調整してセンサーホルダーの水平位置を決定するステップと、
（Ｂ）第１垂直長さ可変棒と第２垂直長さ可変棒を遠隔で調整して前記センサーホルダーに備えられた少なくとも１つの水質センサーの感知領域を水に挿入するステップと、
（Ｃ）前記水質センサーから測定された測定値を遠隔地の端末に転送するステップと、
（Ｄ）前記端末に転送された前記測定値をディスプレイするステップと、
を含み、
前記（Ａ）段階は
屋外遠隔水質測定装置がリセットされると前記センサーホルダーがデフォルト領域に位置する段階を含み、
前記（Ｂ）段階は
前記端末に前記デフォルト領域に位置した前記感知領域が移動しなければならない距離と水中に挿入されなければならない所定の時間に対する制御信号が入力されて、前記端末が前記制御信号を送信する段階を含み、
前記（Ｃ）段階は
コントロールボックスが前記制御信号に応答して前記第１及び第２垂直長さ可変棒と前記水平長さ可変棒を起動させて前記感知領域を前記所定の時間だけ水中に挿入して前記測定値が測定される段階を含み、
前記（Ｄ）段階以降に、前記所定の時間が経れば前記屋外遠隔水質測定装置がリセットされ前記センサーホルダーの位置が前記デフォルト領域へ移動される段階を含む屋外遠隔水質測定方法。
【請求項１０】
前記（Ｄ）ステップは
（Ｅ）異常状態を感知して前記端末にアラームを転送するステップをさらに含むことを特徴とする、請求項９に記載の屋外遠隔水質測定方法。
【請求項１１】
前記水質センサーは、
Ｐｈセンサー、ＥＣセンサー、ＤＯセンサー、温度（Ｔ）センサー、及びＯＲＰセンサーを含むことを特徴とする、請求項９に記載の屋外遠隔水質測定方法。
【発明の詳細な説明】
【技術分野】
【０００１】
本発明は、水源が存在する特定地点に固定具備されて測定地から送信されるリアルタイム動映像により水質センサーの位置を遠隔で調整して水中に挿入することによって水質を測定する屋外遠隔水質測定装置及び方法に関するものである。
【背景技術】
【０００２】
高度の経済成長により、企業で排出される廃水及び家庭下水の増加により河川及び貯水池などの水質が大きく悪化している。水は人間の生活と密接な関連があるものであって、水質汚染は周辺の生態環境を大きく破壊して人間生活に悪影響を及ぼすことがある。これによって、水質の汚染度を測定して汚染源を除去する技術が活発に研究されている。
【０００３】
水質汚染は、地下水の汚染、河川水の汚染、海水の汚染に大別される。
【０００４】
このような水質の汚染度を測定するために、地下水は試錐孔を掘削して内部の地下水の汚染度を測定し、河川や海水の場合には測定者が直接測定地まで移動して水質を測定する。
【０００５】
本発明と関連した先行文献には、特許文献１があり、この先行文献には制御部の制御によって、水質を測定して前記水質データを生成するためのセンサー部と、前記制御部の制御によって、前記水質データを格納するための格納部と、前記制御部の制御によって、前記水質データを前記統合管理センターに無線ネットワークを介して転送するための通信部と、前記水質データによる水質汚染程度によって、前記センサー部及び前記通信部がオン（on）される水質測定周期−その他の時間には前記センサー部及び前記通信部はオフ（off）される−を変更して、前記水質測定周期に前記センサー部と前記通信部がオンされるように制御するための前記制御部を含む低電力知能型水質監視装置を開示している。
【０００６】
しかしながら、先行文献には水中に多数の水質センサーを配置し、汚染度がしきい値以上の場合のみに水質センサーを駆動するため、任意に特定場所の水質を測定することができず、流れる水中にセンサーを長時間放置する場合、センサーの耐久度が急激に減少して寿命が短縮されるという問題点があった。
【０００７】
また、センサーは内部に内蔵されたバッテリーのような電源により電力の供給を受けて動作するため、長期間使用し難いという問題点もあった。
【０００８】
したがって、特定位置の水源でリアルタイムに撮影されて転送される動映像により水質を遠隔で測定し、設定された時間に自動で水質を測定する方案が切実に要求されている。
【先行技術文献】
【特許文献】
【０００９】
【特許文献１】韓国公開特許第２０１２−００７６５１７号公報
【発明の概要】
【発明が解決しようとする課題】
【００１０】
本発明は前述したような従来技術の問題点を解決するために案出したものであって、本発明の目的は、特に特定水源でリアルタイムに提供される動映像により水質を遠隔で測定し、自家発電が可能であるので、長期間の電源の交替無しで使用可能な屋外遠隔水質測定装置を提供することにある。
【００１１】
本発明は前述したような従来技術の問題点を解決するために案出したものであって、本発明の目的は、特に特定水源でリアルタイムに提供される動映像により水質を遠隔で測定し、自家発電が可能であるので、長期間電源の交替無しで使用可能な屋外遠隔水質測定方法を提供することにある。
【課題を解決するための手段】
【００１２】
このために、本発明に従う屋外遠隔水質測定装置は、少なくとも１つの水質センサーを備えるセンサーホルダー、センサーホルダーをリアルタイムに撮影するカメラ、センサーホルダーが一側端部に備えられてセンサーホルダーを上昇または下降させる第１垂直長さ可変棒、一側端部が第１垂直長さ可変棒の他側端部に備えられてセンサーホルダーを水平方向に前進または後進させる水平長さ可変棒、水平長さ可変棒の他側端部に備えられてセンサーホルダーを垂直方向に上昇または下降させる第２垂直長さ可変棒、センサーホルダーを水中に挿入するためにカメラにより撮影される動映像によって第１垂直長さ可変棒と水平長さ可変棒及び第２垂直長さ可変棒の長さを制御する命令を遠隔地から受信を受けて命令を遂行するコントロールボックス、及び電源を供給するバッテリーを含み、遠隔地には命令をコントロールボックスに送信し、水質センサーから測定された測定値とカメラからリアルタイム撮影される動映像の受信を受ける第２通信部を内蔵する端末が備えられる。
【００１３】
そして、本発明の実施形態に従う屋外遠隔水質測定装置において、バッテリーを充電するために太陽熱で電気を生産する太陽熱発電部をさらに含み、太陽熱発電部は光センサーを備えて受光される光の強さが予め設定されたしきい値以下の場合、受光領域を畳み、水平長さ可変棒を水平移動させ、第１垂直長さ可変棒を垂直移動させる第１モータ、及び第２垂直長さ可変棒を垂直移動させる第２モータをさらに含む。
【００１４】
また、本発明の実施形態に従うコントロールボックスは第２通信部から命令を無線で受信を受けて水質センサーから測定された結果値とカメラからリアルタイム撮影される動映像を第２通信部に無線送信する第１通信部、水平長さ可変棒の水平長さを制御する水平長さ制御部、第１垂直長さ可変棒の垂直長さを制御する第１垂直長さ制御部、第２垂直長さ可変棒の垂直長さを制御する第２垂直長さ制御部、水質センサーから感知された情報を格納する格納部、及び命令によって水平長さ制御部、第１垂直長さ制御部、第２垂直長さ制御部を制御する中央制御部を含み、第１垂直長さ制御部は第２垂直長さ制御部より微細に長さを制御する。
【００１５】
一方、本発明の実施形態に従う屋外遠隔水質測定装置において、中央制御部が定まった時間に制御を遂行するように命令を予め入力すれば、命令を定まった時間に中央制御部に転送する設定部をさらに含み、屋外遠隔水質測定装置の異常有無を感知して遠隔地の端末に送信するアラームを生成する自己診断部をさらに含む。
【００１６】
そして、本発明の実施形態に従う端末は固定端末と移動端末を含み、第２通信部は無線で情報を送受信し、端末は命令を入力するための入力部、及び命令と測定値をディスプレイするディスプレイ部をさらに含む。
【００１７】
また、本発明の実施形態に従う屋外遠隔水質測定装置において、水質センサーを雨や雪または外部の環境から保護する水質センサーカバーをさらに含む。
【００１８】
一方、このために本発明に従う屋外遠隔水質測定方法は、（Ａ）水平長さ可変棒を遠隔で調整してセンサーホルダーの水平位置を決定するステップ、（Ｂ）第１垂直長さ可変棒と第２垂直長さ可変棒を遠隔で調整してセンサーホルダーに備えられた少なくとも１つの水質センサーの感知領域を水に挿入するステップ、（Ｃ）水質センサーから測定された測定値を遠隔地の端末に転送するステップ、及び（Ｄ）端末に転送された測定値をディスプレイするステップを含む。
【００１９】
そして、このために本発明に従う屋外遠隔水質測定方法は、（Ｄ）ステップは（Ｅ）異常状態を感知して端末にアラームを転送するステップをさらに含む。
【００２０】
また、このために本発明に従う水質センサーは、Ｐｈセンサー、ＥＣセンサー、ＤＯセンサー、温度（Ｔ）センサー、及びＯＲＰセンサーを含む。
【００２１】
本発明の特徴及び利点は添付図面に基づいた次の詳細な説明により一層明白になる。
【００２２】
本明細書及び請求範囲に使われた用語や単語は通常的で、かつ辞典的な意味として解釈されてはならず、発明者が自分の発明を最も最善の方法で説明するために用語の概念を適切に定義することができるという原則に即して本発明の技術的思想に符合する意味と概念として解釈されなければならない。
【発明の効果】
【００２３】
本発明の多様な実施形態によれば、カメラによりリアルタイムに転送される動映像により遠隔地から遠隔で調整して水質センサーを水中に挿入して汚染度を測定することができる効果がある。
【００２４】
また、本発明の多様な実施形態によれば、自家発電が可能な太陽熱発電部を備えているので、バッテリーの取替無しで長期間屋外で水質を測定することができる効果もある。
【００２５】
そして、本発明の多様な実施形態によれば、特定時間に水質を測定するように設定が可能であるので、自動で特定時間に特定時間の間水質を測定することができる効果もある。
【図面の簡単な説明】
【００２６】
【図１】本発明の実施形態に従う屋外遠隔水質測定装置を例を挙げて示すための 例示図である。
【図２】本発明の実施形態に従う屋外遠隔水質測定装置のコントロールボックスを概略的に示すブロック図である。
【図３】本発明の実施形態に従う屋外遠隔水質測定装置の端末を概略的に示すブロック図である。
【図４】本発明の実施形態に従う屋外遠隔水質測定装置の自己診断部を示すブロック図である。
【図５】本発明の実施形態に従う屋外遠隔水質測定装置の太陽熱発電部を例を挙げて示す例示図である。
【図６】本発明の実施形態に従う屋外遠隔水質測定装置の太陽熱発電部の他の例を示す例示図である。
【図７】本発明の他の実施形態に従う屋外遠隔水質測定方法を順次に示すための順序図である。
【発明を実施するための形態】
【００２７】
本発明の目的、特定な長所及び新規な特徴は添付した図面と関連する以下の詳細な説明と好ましい実施形態からより明白になる。本明細書において、各図面の構成要素に参照番号を付加するに当たって、同一な構成要素に限っては、たとえ他の図面上に表示されてもできる限り同一な番号を有するようにしていることに留意しなければならない。また、“第１”、“第２”などの用語は、１つの構成要素を他の構成要素から区別するために使われるものであって、構成要素が前記用語により制限されるものではない。
【００２８】
また、以下に使われる単数形態は文句がこれと明確に反対の意味を表さない限り、複数形態も含む。明細書の全体において、ある部分がある構成要素を“含む”とする時、これは特別に反対になる記載がない限り、他の構成要素を除外するものでなく、他の構成要素をさらに含むことができることを意味する。
【００２９】
図１から図７の同一部材に対しては、同一な図面番号を記載した。
【００３０】
本発明の基本原理は、水源が存在する特定地点に固定具備されて測定地から送信されるリアルタイム動映像により遠隔で調整してセンサーホルダーを水中に挿入することによって、センサーホルダーに備えられた水質センサーから水質を測定するものである。
【００３１】
併せて、本発明を説明するに当たって、関連した公知機能または構成に対する具体的な説明が本発明の要旨を曖昧にすることがあると判断された場合、その詳細な説明は省略する。
【００３２】
以下、添付した図面を参照して本発明の好ましい実施形態を詳細に説明する。
【００３３】
図１は、本発明の実施形態に従う屋外遠隔水質測定装置を例を挙げて示すための例示図である。
【００３４】
図１を参照すると、本発明に従う屋外遠隔水質測定装置１００は、少なくとも１つの水質センサーを備えるセンサーホルダー１１０、センサーホルダー１１０をリアルタイムに撮影するカメラ１８０、センサーホルダー１１０が一側端部に備えられて、センサーホルダー１１０を上昇または下降させる第１垂直長さ可変棒１２０、一側端部が第１垂直長さ可変棒１２０の他側端部に備えられてセンサーホルダー１１０を水平方向に前進または後進させる水平長さ可変棒１３０、水平長さ可変棒１３０の他側端部が備えられてセンサーホルダー１１０を垂直方向に上昇または下降させる第２垂直長さ可変棒１４０、センサーホルダー１１０を水中に挿入するためにカメラ１８０により撮影される動映像によって第１垂直長さ可変棒１２０と水平長さ可変棒１３０及び第２垂直長さ可変棒１４０の長さを制御する命令を遠隔地から受信を受けて命令を遂行するコントロールボックス１５０、及び電源を供給するバッテリー１６０を含む。
【００３５】
図１のように構成された本発明の実施形態に従う屋外遠隔水質測定装置１００を詳細に説明すれば、次の通りである。
【００３６】
まず、本願発明の屋外遠隔水質測定装置１００は屋外の水質を測定するために野外に備えられる。
【００３７】
例えば、試錐孔の内部に溜まっている地下水や湖、江、海辺など、水源が存在する特定地点に固定具備されて測定地から送信されるリアルタイム動映像によりセンサーホルダー１１０を水中に挿入することによって、センサーホルダー１１０に備えられた水質センサー（Ａ）から水質を測定する。
【００３８】
したがって、少なくとも１つの水質センサー（Ａ）を備えるセンサーホルダー１１０が開示される。
【００３９】
水質センサー（Ａ）は、センサーホルダー１１０に締結されて感知領域（ａ）が水中に挿入されることによって、多様な水質の特性を測定することができる。
【００４０】
このような水質センサー（Ａ）の種類には、Ｐｈセンサー、ＥＣセンサー、ＤＯセンサー、温度（Ｔ）センサー、ＯＲＰセンサーなどのセンサーを羅列することができるが、必ずこれに限定するものではない。
【００４１】
ここで、センサーホルダー１１０は水質センサー（Ａ）の感知領域（ａ）の上部に位置するので、センサーホルダー１１０が水中に挿入されれば、感知領域（ａ）も挿入されて水質を測定することができる。
【００４２】
そして、水質センサー（Ａ）は特に感知領域（ａ）が敏感であるため、センサーホルダー１１０に水質センサーカバー１９０をさらに備えて水質センサー（Ａ）を雨や雪または外部の環境から保護する。
【００４３】
ここで、水質センサーカバー１９０は透明な材質でも不透明な材質でも全て使用可能であるが、透明な材質の合成樹脂や強化ガラスを使用することが好ましい。また、水質センサーカバー１９０は水質センサー（Ａ）を保護し、水質センサー（Ａ）の測定値に影響を及ぼさない材質であれば全て可能である。
【００４４】
次に、センサーホルダー１１０の後端に連結された第１垂直長さ可変棒１２０と、第１垂直長さ可変棒１２０の後端に水平に連結された水平長さ可変棒１３０及び水平長さ可変棒１２０の後端に垂直に連結された垂直長さ可変棒１４０を調整してセンサーホルダー１１０を測定しようとする水中に挿入させる作動について詳細に説明する。
【００４５】
まず、センサーホルダー１１０を水中に挿入させる作動方法は、大きく２つがある。
【００４６】
１つは、備えられたカメラ１８０から撮影される動映像を遠隔地でディスプレイして可変棒１２０、１３０、１４０を制御する命令をコントロールボックス１５０に送信して作動させるものであり、また１つは図２に図示したコントロールボックス１５０の設定部１５６に可変棒１２０、１３０、１４０を制御する命令を予め入力して特定時間にその命令を反復遂行させるものである。
【００４７】
まず、前者を詳細に説明すれば、次の通りである。
【００４８】
前者を詳細に説明するに当たって、図１から図３を参照して説明する。
【００４９】
図２は本発明の実施形態に従う屋外遠隔水質測定装置のコントロールボックス１５０を概略的に示すブロック図であり、図３は本発明の実施形態に従う屋外遠隔水質測定装置の端末２００を概略的に示すブロック図である。
【００５０】
まず、センサーホルダー１１０の上部に備えられるカメラ１８０は遠隔地の端末２００により電源がオン・オフされ、撮影角を変更するために微細移動を遂行する小型モータ（図示せず）を備える。
【００５１】
ここで、端末２００は固定端末と移動端末とに区分されるが、固定端末は主にパーソナルコンピュータを指称し、移動端末は主にスマートフォンを指称する。
【００５２】
端末２００の入力部２３０でカメラ１８０をオンさせる命令が入力されれば、第２通信部２１０はその命令を第１通信部１５１に無線送信する。
【００５３】
第１通信部１５１は、その命令を中央制御部１５８に転送すれば、中央制御部１５８はカメラ１８０をオンさせる。以後、カメラ１８０から撮影される動映像は第１通信部１５１を通じて第２通信部２１０に無線送信される。すると、ディスプレイ部２２０を通じて転送された動映像が再生されることによって、センサーホルダー１１０の位置を確認することができる。
【００５４】
確認されたセンサーホルダー１１０の位置によって水質センサー（Ａ）の感知領域（ａ）を水中に挿入するために可変棒１２０、１３０、１４０を制御しなければならない。
【００５５】
このために、入力部２３０で可変棒１２０、１３０、１４０を制御するための命令を入力すれば、ディスプレイ部２２０にその命令がディスプレイされて１次確認され、第２通信部２１０を通じてその命令が第１通信部１５１に無線送信される。
【００５６】
第１通信部１５１は、可変棒１２０、１３０、１４０の制御命令を各々の可変棒を制御する制御部に転送する。
【００５７】
例えば、第１垂直長さ可変棒１２０を制御するための命令が受信されれば第１垂直長さ制御部１５３に、第２垂直長さ可変棒１４０を制御するための命令が受信されれば第２垂直長さ制御部１５４に、水平長さ制御部１３０を制御するための命令が受信されれば水平長さ制御部１５２に各々命令を転送する。
【００５８】
この際、カメラ１８０は位置移動するセンサーホルダー１１０をリアルタイムに撮影して移動端末２００にその動映像を転送する。
【００５９】
以後、センサーホルダー１１０に締結された水質センサー（Ａ）の感知領域（ａ）が水中に挿入されたと判断されれば、可変棒１２０、１３０、１４０を移動させる命令を中止する。
【００６０】
ここで、第１垂直長さ可変棒１２０と第２垂直長さ可変棒１４０は全てセンサーホルダー１１０の垂直位置を制御することができるが、第２垂直長さ可変棒１４０が第１垂直長さ可変棒１２０より長い垂直距離を制御することができ、第１垂直長さ可変棒１２０は第２垂直長さ可変棒１４０よりもっと微細に垂直距離を調節することができるものが好ましい。
【００６１】
最後に、水質センサー（Ａ）により測定された測定値は中央制御部１５８により格納部１５５に格納された後、移動端末２００に無線送信されてディスプレイされる。
【００６２】
この際、格納部１５５には測定値と共に測定時間、測定地の温度、湿度などの環境情報も共に格納される。したがって、コントロールボックス１５０には、時計、温度計、湿度計などの機構なども共に備えられることが好ましい。
【００６３】
そして、全ての測定作業が終わったと判断すれば、移動端末２００はまた可変棒１２０、１３０、１４０を制御する命令を無線送信してセンサーホルダー１１０を水の外に移動させる。
【００６４】
ここで、常時的に測定を持続しようとすれば、その状態で所望の時間まで感知領域（ａ）が水中に挿入されたままで置けばよい。
【００６５】
次は後者、即ちコントロールボックス１５０の設定部１５６に可変棒１２０、１３０、１４０を制御する命令を予め入力して特定時間にその命令を反復遂行させる作動について詳細に説明する。
【００６６】
まず、移動端末２００は可変棒１２０、１３０、１４０を制御する命令を無線送信する。
【００６７】
ここで、感知領域（ａ）が水中に挿入される距離値を知っている場合に該当する。
【００６８】
例えば、センサーホルダー１１０は屋外遠隔水質測定装置１００のデフォルトされた領域に位置する。即ち、屋外遠隔水質測定装置１００をリセットすれば、センサーホルダー１１０はデフォルト領域に位置する。したがって、感知領域（ａ）が水中に挿入されるためにはデフォルトされた領域で垂直方向に何メートル水平方向に何メートル移動すればいいのかが分かる。
【００６９】
移動端末２００は、感知領域（ａ）が水中に挿入されるためにデフォルトされた領域から移動しなければならない水平垂直距離と、感知領域（ａ）が水中に挿入されなければならない時間、及び測定時間を入力して第１通信部１５１に無線送信する。
【００７０】
すると、中央制御部１５８は定まった時間に水平長さ制御部１５２、第１垂直長さ制御部１５３、第２垂直長さ制御部１５４に制御命令を転送して可変棒１２０、１３０、１４０を起動させて感知領域（ａ）を定まった時間だけ水中に挿入して水質を測定することができる。
【００７１】
定まった時間が経れば、またセンサーホルダー１１０の位置をリセットしてデフォルトされた領域に移動させる。
【００７２】
一方、第１垂直長さ可変棒１２０と水平長さ可変棒１３０は、第１モータ（Ｂ）により起動し、第２垂直長さ可変棒１４０は第２モータ（Ｃ）により起動する。そして、第２垂直長さ可変棒１４０の下端部には支持板（Ｄ）が備えられて、屋外遠隔水質測定装置１００を安定的に建てることができる。
【００７３】
本発明を説明するに当たって、屋外遠隔水質測定装置１００を建てる手段を支持板（Ｄ）と想定したが、第２垂直長さ可変棒１４０の下部を地面に打ち込んで安定的に建てることができる。
【００７４】
また、図１を参照すると、屋外遠隔水質測定装置１００はバッテリー１６０を備える。このバッテリー１６０は電源であって、電力を消費する構成要素に電力を供給する。
【００７５】
バッテリー１６０は消耗性電源であって、一定時間が経れば、またバッテリー１６０を取替するか、または充電しなければならない。したがって、バッテリー１６０の上部に太陽熱発電部１７０を備えてバッテリー１６０を充電することができる。
【００７６】
太陽熱発電部１７０については、図５及び図６で詳細に説明する。
【００７７】
次は、図４を参照して本発明の実施形態に従う自己診断部１５７を詳細に説明する。
【００７８】
図４は、本発明の実施形態に従う屋外遠隔水質測定装置１００の自己診断部１５７を示すブロック図である。
【００７９】
図４を説明するに当たって、図１と重複する説明は省略する。
【００８０】
本発明の実施形態に従うコントロールボックス１５０に自己診断部１５７が備えられる理由は、遠隔地の屋外環境で各構成要素の故障発生可能性が高いため、自己診断部１５７で故障を感知して、故障発生時、移動端末２００に警報を提供して容易に故障に対する対処を遂行するためである。
【００８１】
自己診断部１５７は、特に第１モータ（Ｂ）、第２モータ（Ｃ）、バッテリー１６０、カメラ１８０と電気的に連結されて誤動作が発生すれば、これを感知して移動端末２００に誤動作機器の情報及び警報を提供する。
【００８２】
したがって、これの受信を受けた移動端末２００では誤動作機器の情報及び警報がディスプレイされる。
【００８３】
図５は、本発明の実施形態に従う屋外遠隔水質測定装置１００の太陽熱発電部１７０を例を挙げて示す例示図である。
【００８４】
図５を参照すると、本発明の実施形態に従う太陽熱発電部１７０は広げ及び折畳可能な傘形状に形成できる。
【００８５】
格子型に配置される光電素子の最上部には光センサー１７１が備えられるが、光センサー１７１は太陽熱発電できないしきい値以下の光度を感知すれば、この情報を中央制御部１５８に提供する。これによって、中央制御部１５８は太陽熱発電部１７０の光電素子が格子型に配置された受光領域を畳む。
【００８６】
ここで、光センサー１７１が太陽熱発電可能なしきい値以上の光度を感知すれば、この情報を中央制御部１５８に提供し、これによって中央制御部１５８は太陽熱発電部１７０の受光領域を広げることによって太陽熱発電を遂行する。
【００８７】
したがって、太陽熱発電部１７０で生産される電力はバッテリー１６０に供給されてバッテリー１６０の消耗電力を補充することによって、バッテリー１６０の使用時間を向上させることができる。
【００８８】
このように受光領域を広げと折畳を制御する理由は、雨や雪または外部環境に受光素子が長時間露出されることによって発生する誤動作を防止するためである。
【００８９】
図６は、本発明の実施形態に従う屋外遠隔水質測定装置１００の太陽熱発電部１７０Ａの他の例を示す例示図である。
【００９０】
図６を参照すると、本発明の実施形態に従う太陽熱発電部１７０Ａは平板形態に、常時的にバッテリー１６０の上部に備えられる。太陽熱発電部１７０Ａで生産される電力はバッテリー１６０に供給されて消耗された電力を補充する。
【００９１】
図７は、本発明の他の実施形態に従う屋外遠隔水質測定方法７００を順次に示すための順序図である。
【００９２】
図７を参照すると、本発明の他の実施形態に従う屋外遠隔水質測定方法７００は、水平長さ可変棒１３０を遠隔で調整してセンサーホルダーの水平位置を決定するステップ（Ｓ７１０）、第１垂直長さ可変棒１２０と第２垂直長さ可変棒１４０を遠隔で調整してセンサーホルダー１１０に備えられた少なくとも１つの水質センサー（Ａ）の感知領域（ａ）を水に挿入するステップ（Ｓ７２０）、水質センサー（Ａ）から測定された測定値を遠隔地の端末２００に転送するステップ（Ｓ７３０）、及び端末２００に転送された測定値をディスプレイするステップ（Ｓ７４０）を含む。
【００９３】
図７のように構成された本発明の他の実施形態に従う屋外遠隔水質測定方法７００を詳細に説明すれば、次の通りである。
【００９４】
まず、水平長さ可変棒１３０を遠隔で調整してセンサーホルダー１１０の水平位置を決定する（Ｓ７１０）。
【００９５】
水平長さ可変棒１３０の一側端部には第１垂直長さ可変棒１２０の他側端部が連結され、第１垂直長さ可変棒１２０の一側端部にはセンサーホルダー１１０が連結される。
【００９６】
したがって、水平長さ可変棒１３０によりセンサーホルダー１１０の水平位置が決定される。
【００９７】
ここで、センサーホルダー１１０には少なくとも１つの水質センサー（Ａ）が締結され、水質センサー（Ａ）の下部には水質を測定する感知領域（ａ）が備えられる。この感知領域（ａ）が水中に挿入されることによって水質の状態を測定することができる。
【００９８】
このような水質センサー（Ａ）の種類には、Ｐｈセンサー、ＥＣセンサー、ＤＯセンサー、温度（Ｔ）センサー、ＯＲＰセンサーなどのセンサーを羅列することができるが、必ずこれに限定するものではない。
【００９９】
この後、第１垂直長さ可変棒１２０と第２垂直長さ可変棒１４０を遠隔で調整してセンサーホルダー１１０に備えられた少なくとも１つの水質センサー（Ａ）の感知領域（ａ）を水に挿入する（Ｓ７２０）。
【０１００】
第１垂直長さ可変棒１２０と第２垂直長さ可変棒１４０は、全てセンサーホルダー１１０の垂直位置を制御することができるが、第２垂直長さ可変棒１４０が第１垂直長さ可変棒１２０より長い垂直距離を制御することができ、第１垂直長さ可変棒１２０は第２垂直長さ可変棒１４０よりもっと微細に垂直距離を調節することができることが好ましい。
【０１０１】
水質センサー（Ａ）から測定された測定値を遠隔地の端末２００に無線転送され（Ｓ７３０）、端末２００のディスプレイ部２２０に転送された測定値をディスプレイされる（Ｓ７４０）。
【０１０２】
このように、測定値がディスプレイされることによって、遠隔地の水質の情報を容易に知ることができる。
【０１０３】
以上、本発明の好ましい実施形態に対して図示及び説明したが、本発明は前述した特定の実施形態に限定されず、請求範囲で請求する本発明の要旨を逸脱することなく当該発明が属する技術分野で通常の知識を有する者により多様な変形実施が可能であることは勿論であり、このような変形実施は本発明の技術的思想や展望から個別的に理解されてはならない。
【符号の説明】
【０１０４】
１１０    センサーホルダー
１２０    第１垂直長さ可変棒
１３０    第１水平長さ可変棒
１４０    第２垂直長さ可変棒
１５０    コントロールボックス
１６０    バッテリー
１７０、１７０Ａ    太陽熱発電部
１８０    カメラ
１９０    水質センサーカバー
２００    端末
２１０    第２通信部
２２０    ディスプレイ部
２３０    入力部
１５１    第１通信部
１５２    水平長さ制御部
１５３    第１垂直長さ制御部
１５４    第２垂直長さ制御部
１５５    格納部
１５６    設定部
１５７    自己診断部
１５８    中央制御部
１７１    光センサー
Ａ    水質センサー
Ｂ    第１モータ
Ｃ    第２モータ
Ｄ    支持板
ａ    感知領域
【図１】
0006001022.tif 000002
【図２】
0006001022.tif 000003
【図３】
0006001022.tif 000004
【図４】
0006001022.tif 000005
【図５】
0006001022.tif 000006
【図６】
0006001022.tif 000007
【図７】
0006001022.tif 000008